【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
筒形状を有する筒状部材と、
前記筒状部材の内側において発熱する発熱体と、
前記筒状部材の内面に接触するニップ部材と、
前記ニップ部材を支持するステイと、
前記ニップ部材との間で前記筒状部材を挟むバックアップ部材と、
前記ステイの端部を保持する保持凹部を有する第１支持部材と、
前記第１支持部材を所定の移動方向に移動可能に支持する支持溝を有する第２支持部材と、を備え、
前記ニップ部材は、前記ステイに係止され、
前記発熱体の端部は、前記第２支持部材に係止されたことを特徴とする定着装置。
【請求項２】
前記第１支持部材は、前記移動方向において前記バックアップ部材とは反対側から前記ステイに対面する第１面と、前記筒状部材の軸線に平行な方向及び前記移動方向の両方に直交する直交方向における一方側から前記ステイに対面する第２面と、前記直交方向において前記ステイの他方側から前記ステイに対面する第３面と、を有し、
前記第１支持部材の前記保持凹部は、少なくとも前記第１面と前記第２面と前記第３面とにより規定されたことを特徴とする請求項１に記載の定着装置。
【請求項３】
前記第１支持部材は、さらに前記移動方向において前記第１面とは反対側から前記ステイに対面する第４面を有し、
前記第１支持部材の前記凹部は、少なくとも前記第１面と前記第２面と前記第３面と前記第４面とにより規定されたことを特徴とする請求項２に記載の定着装置。
【請求項４】
前記第１支持部材は、前記第２面から突出する係合突起を有し、
前記係合突起は、前記第４面を有することを特徴とする請求項３に記載の定着装置。
【請求項５】
前記ステイは、前記移動方向における一方側から前記ニップ部材に対面する第５面と、前記移動方向における他方側から前記ニップ部材に対面する第６面と、を有し、
前記ニップ部材は、少なくとも前記第５面と前記第６面との間において、前記ステイに係止されていることを特徴とする請求項１から請求項４のいずれか一項に記載の定着装置。
【請求項６】
前記第１支持部は、前記軸線に平行な方向に貫通する逃げ部を有し、
前記発熱体の端部は、前記逃げ部内に配置された一部と、前記逃げ部よりも前記軸線に平行な方向の外側に突出する他部を有し、
前記発熱体の端部の他部が、前記第２支持部材に固定されたことを特徴とする請求項１から請求項５のいずれか一項に記載の定着装置。
【請求項７】
前記逃げ部は、溝であることを特徴とする請求項６に記載の定着装置。
【請求項８】
筒形状を有する筒状部材と、
前記筒状部材の内側において発熱する発熱体と、
前記筒状部材の内面に接触するニップ部材と、
前記ニップ部材との間で前記筒状部材を挟むバックアップ部材と、
前記ニップ部材を支持する第１支持部材と、
前記第１支持部材を前記筒状部材の軸線と直交する移動方向に移動可能に支持する第２支持部材と、を備え、
前記ニップ部材は、前記第１支持部材に対して少なくとも前記移動方向へ移動することを規制された状態で前記第１支持部材に支持され、
前記発熱体の端部は、前記第２支持部材に対して少なくとも前記移動方向へ移動することを規制された状態で前記第２支持部材に支持されたことを特徴とする定着装置。
【請求項９】
前記ニップ部材を支持するステイをさらに備え、
前記ステイは、前記第１支持部材に保持され、
前記ニップ部材は、前記ステイを介して、前記第１支持部材に対して少なくとも前記移動方向へ移動することを規制された状態で前記第１支持部材に支持されたことを特徴とする請求項８に記載の定着装置。
【請求項１０】
前記ニップ部材は、前記第１支持部材に対して少なくとも前記筒状部材の軸線と直交する任意の方向へ移動することを規制された状態で前記第１支持部材に支持され、
前記発熱体の端部は、前記第２支持部材に対して少なくとも前記筒状部材の軸線と直交する任意の方向へ移動することを規制された状態で前記第２支持部材に支持されたことを特徴とする請求項８又は請求項９に記載の定着装置。
【請求項１１】
筒形状を有する筒状部材と、
前記筒状部材の内側において発熱する発熱体と、
前記筒状部材の内面に接触するニップ部材と、
前記ニップ部材との間で前記筒状部材を挟むバックアップ部材と、
前記ニップ部材を支持する第１支持部材と、
第２支持部材と、を備え、
前記第１支持部材と前記第２支持部材は、一方が他方を所定の移動方向へ移動可能に支持するように、互いに係合し、
前記ニップ部材は、前記第１支持部材に対して少なくとも前記移動方向へ移動することを規制された状態で前記第１支持部材に支持され、
前記発熱体は、前記第２支持部材に対して少なくとも前記移動方向へ移動することを規制された状態で前記第２支持部材に支持されたことを特徴とする定着装置。
【請求項１２】
前記ニップ部材を支持するステイをさらに備え、
前記ステイは、前記第１支持部材に保持され、
前記ニップ部材は、前記ステイを介して、前記第１支持部材に対して少なくとも前記移動方向へ移動することを規制された状態で前記第１支持部材に支持されたことを特徴とする請求項１１に記載の定着装置。
【請求項１３】
前記ニップ部材は、前記第１支持部材に対して少なくとも前記筒状部材の軸線と直交する任意の方向へ移動することを規制された状態で前記第１支持部材に支持され、
前記発熱体は、前記第２支持部材に対して少なくとも前記筒状部材の軸線と直交する任意の方向へ移動することを規制された状態で前記第２支持部材に支持されたことを特徴とする請求項１１又は請求項１２に記載の定着装置。
【請求項１４】
前記バックアップ部材は、ローラであることを特徴とする、請求項１から請求項１３のいずれか一項に記載の定着装置。
【請求項１５】
前記ニップ部材は、板であることを特徴とする請求項１から請求項１４のいずれか一項に記載の定着装置。
【請求項１６】
前記発熱体は、ハロゲンランプであることを特徴とする請求項１から請求項１５のいずれか一項に記載の定着装置。
【請求項１７】
前記発熱体は、カーボンヒータであることを特徴とする請求項１から請求項１５のいずれか一項に記載の定着装置。
【請求項１８】
前記発熱体は、赤外線ヒータであることを特徴とする請求項１から請求項１５のいずれか一項に記載の定着装置。
【請求項１９】
前記筒状部材は、フィルムであることを特徴とする請求項１から請求項１８のいずれか一項に記載の定着装置。
【請求項２０】
前記第２支持部材に固定された固定部をさらに備え、
前記発熱体は、前記固定部に固定されることで、前記固定部を介して前記第２支持部材に係止されたことを特徴とする請求項１から請求項１９のいずれか一項に記載の定着装置。
【請求項２１】
前記第１支持部材の逃げ部は、前記バックアップローラの側へ開口する溝であることを特徴とする請求項７に記載の定着装置。
【請求項２２】
前記第１支持部材を前記バックアップ部材側へ付勢するコイルスプリングをさらに有することを特徴とする請求項１から請求項２１のいずれか一項に記載の定着装置。
【請求項２３】
前記第２支持部材は前記バックアップ部材を支持することを特徴とする請求項１から請求項２２のいずれか一項に記載の定着装置。
【請求項２４】
前記第１支持部材は、前記筒状部材の軸線に平行な方向において、前記筒状部材の両側にそれぞれ配置されたことを特徴とする請求項１から請求項２３のいずれか一項に記載の定着装置。
【手続補正２】
【補正対象書類名】明細書
【補正対象項目名】０００７
【補正方法】変更
【補正の内容】
【０００７】
前記課題を解決する第１の発明は、筒形状を有する筒状部材と、前記筒状部材の内側において発熱する発熱体と、前記筒状部材の内面に接触するニップ部材と、前記ニップ部材を支持するステイと、前記ニップ部材との間で前記筒状部材を挟むバックアップ部材と、前記ステイの端部を保持する保持凹部を有する第１支持部材と、前記第１支持部材を所定の移動方向に移動可能に支持する支持溝を有する第２支持部材と、を備え、前記ニップ部材は、前記ステイに係止され、前記発熱体の端部は、前記第２支持部材に係止されたことを特徴とする。
また、第２の発明は、筒形状を有する筒状部材と、前記筒状部材の内側において発熱する発熱体と、前記筒状部材の内面に接触するニップ部材と、前記ニップ部材との間で前記筒状部材を挟むバックアップ部材と、前記ニップ部材を支持する第１支持部材と、前記第１支持部材を前記筒状部材の軸線と直交する移動方向に移動可能に支持する第２支持部材と、を備え、前記ニップ部材は、前記第１支持部材に対して少なくとも前記移動方向へ移動することを規制された状態で前記第１支持部材に支持され、前記発熱体の端部は、前記第２支持部材に対して少なくとも前記移動方向へ移動することを規制された状態で前記第２支持部材に支持されたことを特徴とする。
また、第３の発明は、筒形状を有する筒状部材と、前記筒状部材の内側において発熱する発熱体と、前記筒状部材の内面に接触するニップ部材と、前記ニップ部材との間で前記筒状部材を挟むバックアップ部材と、前記ニップ部材を支持する第１支持部材と、第２支持部材と、を備え、前記第１支持部材と前記第２支持部材は、一方が他方を所定の移動方向へ移動可能に支持するように、互いに係合し、前記ニップ部材は、前記第１支持部材に対して少なくとも前記移動方向へ移動することを規制された状態で前記第１支持部材に支持され、前記発熱体は、前記第２支持部材に対して少なくとも前記移動方向へ移動することを規制された状態で前記第２支持部材に支持されたことを特徴とする定着装置。
【手続補正３】
【補正対象書類名】明細書
【補正対象項目名】０００８
【補正方法】変更
【補正の内容】
【０００８】
上記の第１から第３の発明のいずれかによれば、電気系統をシンプルに構成することができる。